(57)【要約】【課題】撮影済みのフィルムを、持参するか運搬手段を介してサービスラボへ送り、登録ＩＤおよび連絡用メールアドレスに届いたアクセス情報に従ってサーバにアクセスすれば、フィルム画像をデジタル化した画像ファイルがネットワークを介してダウンロードできる、銀塩写真の画像データ配信システムの提供。【解決手段】銀塩写真の画像データ配信システムは、サーバ１を制御するマイクロコンピュータは、担当者が撮影済みのリバーサルフィルム４２を受け取って受取情報を入力すると、フィルム受取日時と予定仕上時刻とを記載した連絡文の連絡用メールアドレスへの送信を指示し、担当者が画像ファイルのハードディスクへの格納を終了して完了情報を入力すると、インターネット回線２を介して画像ファイルへアクセスするためのアクセス情報の連絡用メールアドレスへの送信を指示する。【選択図】図１
2008067100.tif 000002
【特許請求の範囲】
【請求項１】
撮影済みのフィルムを撮影者から、直接または運搬手段を介してサービスラボが受け取るフィルム受取工程と、
受け取った前記撮影済みのフィルムに対し、所定の化学処理剤で現像処理を行う現像工程と、
現像済みのフィルムの各フィルム画像を光学的に走査して、デジタル化した複数の画像ファイルを作成するスキャニング工程と、
ネットワークへ接続したサーバのハードディスクへ複数の前記画像ファイルを格納するファイル格納工程とを順に実施し、
前記撮影者が前記ネットワークを介して、前記ハードディスクに格納された前記画像ファイルにアクセスできることを特徴とする銀塩写真の画像データ配信方法。
【請求項２】
撮影者から、連絡用メールアドレスとともに撮影済みのフィルムを、直接または運搬手段を介してサービスラボが受け取るフィルム受取工程と、
受け取った前記撮影済みのフィルムに対し、所定の化学処理剤で現像処理を行う現像工程と、
現像済みのフィルムの各フィルム画像を光学的に走査して、デジタル化した複数の画像ファイルを作成するスキャニング工程と、
ネットワークに接続したサーバのハードディスクへ複数の前記画像ファイルを格納するファイル格納工程と、
アクセス情報を前記連絡用メールアドレスへ送信し、前記撮影者が前記ネットワークを介して前記ハードディスクに格納された前記画像ファイルにアクセスできる様にする配信準備工程とを順に実施し、
前記撮影者は、前記アクセス情報に従って前記サーバにアクセスし、前記ハードディスクに格納された前記画像ファイルを前記ネットワークを介してダウンロードすることを特徴とする銀塩写真の画像データ配信方法。
【請求項３】
撮影者から、連絡用メールアドレスとともに撮影済みのフィルムを、直接または運搬手段を介してサービスラボが受け取るフィルム受取工程と、
受け取った前記撮影済みのフィルムに対し、所定の化学処理剤で現像処理を行う現像工程と、
この現像済みのフィルムの各フィルム画像をパーフォレーター外側のエッジナンバーも含めて光学的に第１の分解能で走査し、デジタル化した第１の画像ファイル群を作成する第１のスキャニング工程と、
前記第１の分解能より高い第２の分解能で、前記現像済みのフィルムの前記フィルム画像を一つずつ走査し、デジタル化した第２の画像ファイル群を作成する第２のスキャニング工程と、
ハードディスクを有し、ネットワークに接続したサーバの所定フォルダへ、第１、第２の画像ファイル群を格納するファイル格納工程と、
前記ネットワークを介して前記撮影者が、第１の画像ファイル群の全画像がブラウザ上で視認でき、且つ、前記第２の画像ファイル群の中の所望の画像ファイルをダウンロードできる様にするためのアクセス情報を前記連絡用メールアドレスへ送信する配信準備工程とを順に実施し、
前記撮影者は、前記アクセス情報に従って前記サーバにアクセスして、ブラウザ上に表示される第１の画像ファイル群の画像の中から所望の画像を決め、
この所望の画像に対応する前記第２の画像ファイル群の画像ファイルをダウンロードすることを特徴とする銀塩写真の画像データ配信方法。
【請求項４】
連絡用メールアドレスに対して登録ＩＤが発行済の撮影者から、撮影済みのフィルムを、直接または運搬手段を介してサービスラボが受け取るフィルム受取工程と、
フィルム受取日時と予定仕上時刻とを記載した連絡文を前記撮影者の前記連絡用メールアドレスへ送信する受取連絡工程と、
受け取った前記撮影済みのフィルムに対し、所定の化学処理剤で現像処理を行う現像工程と、
現像済みのフィルムの各フィルム画像を光学的に走査して、デジタル化した複数の画像ファイルを作成するスキャニング工程と、
ハードディスクを有し、ネットワークに接続したサーバの所定フォルダへ複数の前記画像ファイルを格納するファイル格納工程と、
前記画像ファイルが格納された前記所定フォルダへ前記登録ＩＤを使ってアクセス可能なアクセス情報をファイル格納後に連絡用メールアドレスへ送信する配信準備工程とを順に実施し、
前記撮影者は、前記登録ＩＤおよび前記アクセス情報に従って前記サーバにアクセスし、複数の前記画像ファイルをダウンロードすることを特徴とする銀塩写真の画像データ配信方法。
【請求項５】
連絡用メールアドレスに対して登録ＩＤが発行済の撮影者から、撮影済みのフィルムを、直接または運搬手段を介してサービスラボが受け取るフィルム受取工程と、
フィルム受取日時と予定仕上時刻とを記載した連絡文を前記撮影者の前記連絡用メールアドレスへ送信する受取連絡工程と、
受け取った前記撮影済みのフィルムに対し、所定の化学処理剤で現像処理を行う現像工程と、
この現像済みのフィルムの各フィルム画像をパーフォレーター外側のエッジナンバーも含めて光学的に第１の分解能で走査し、デジタル化した第１の画像ファイル群を作成する第１のスキャニング工程と、
前記第１の分解能より高い第２の分解能で、前記現像済みのフィルムの前記フィルム画像を一つずつ走査し、デジタル化した第２の画像ファイル群を作成する第２のスキャニング工程と、
ハードディスクを有し、ネットワークに接続したサーバの所定フォルダへ、第１、第２の画像ファイル群を格納するファイル格納工程と、
前記撮影者が前記登録ＩＤを使い、前記ネットワークを介して、第１の画像ファイル群の各画像がブラウザ上で視認でき、且つ、前記第２の画像ファイル群の中の所望の画像ファイルをダウンロードできる様にするためのアクセス情報を前記連絡用メールアドレスへ送信する配信準備工程とを順に実施し、
前記撮影者は、前記アクセス情報に従って前記サーバにアクセスして、ブラウザ上に表示される第１の画像ファイル群の画像の中から所望の画像を決め、
この所望の画像に対応する前記第２の画像ファイル群の画像ファイルをダウンロードすることを特徴とする銀塩写真の画像データ配信方法。
【請求項６】
登録ＩＤおよび連絡用メールアドレスを有する撮影者から、撮影済みのフィルムを、直接または運搬手段を介してサービスラボが受け取り、
フィルム受取日時と予定仕上時刻とを記載した連絡文を前記撮影者の前記連絡用メールアドレスへサーバが送信し、
前記撮影済みのフィルムに対して所定の化学処理剤による現像処理を前記サービスラボが行い、
前記サービスラボの担当者が、現像済みのフィルムの各フィルム画像を光学的に走査して作成した複数のデジタル化した画像ファイルを前記サーバのハードディスクへ全て格納し、
前記画像ファイルへアクセス可能なアクセス情報をファイル格納後に、前記サーバが連絡用メールアドレスへ送信し、
前記サーバの前記ハードディスクに格納された前記画像ファイルを前記登録ＩＤおよび前記アクセス情報を使ってネットワークを介して前記撮影者にダウンロードさせる銀塩写真の画像データ配信システムであって、
前記サーバを制御するマイクロコンピュータは、前記担当者が撮影済みのフィルムを受け取って受取情報を入力すると、フィルム受取日時と予定仕上時刻とを記載した連絡文の前記連絡用メールアドレスへの送信を指示し、前記担当者が画像ファイルの前記ハードディスクへの格納を終了して完了情報を入力すると、前記ネットワークを介して前記画像ファイルへアクセスするためのアクセス情報の前記連絡用メールアドレスへの送信を指示することを特徴とする銀塩写真の画像データ配信システム。
【請求項７】
登録ＩＤおよび連絡用メールアドレスを有する撮影者から、撮影済みのフィルムを、直接または運搬手段を介してサービスラボが受け取り、
フィルム受取日時と予定仕上時刻とを記載した連絡文を前記撮影者の前記連絡用メールアドレスへサーバが送信し、
前記撮影済みのフィルムに対して所定の化学処理剤による現像処理を前記サービスラボが行い、
この現像済みのフィルムの各フィルム画像をパーフォレーター外側のエッジナンバーも含めて光学的に第１の分解能で走査して作成したデジタル化した第１の画像ファイル群を前記サービスラボの担当者が前記サーバのハードディスクへ格納し、
前記第１の分解能より高い第２の分解能で、前記現像済みのフィルムの前記フィルム画像を一つずつ走査して作成したデジタル化した第２の画像ファイル群を前記担当者が前記サーバの前記ハードディスクへ格納し、
前記画像ファイルへアクセス可能なアクセス情報をファイル格納後に、前記サーバが前記連絡用メールアドレスへ送信し、
前記アクセス情報と前記登録ＩＤとを使って前記サーバにアクセスしてきた前記撮影者の端末装置のブラウザ上に表示される第１の分解能の複数の画像の中から所望の画像を前記撮影者に決めさせ、この画像に対応する前記第２の分解能の画像ファイルをダウンロードさせる銀塩写真の画像データ配信システムであって、
前記サーバを制御するマイクロコンピュータは、前記担当者が撮影済みのフィルムを受け取って受取情報を入力すると、フィルム受取日時と予定仕上時刻とを記載した連絡文の前記撮影者の連絡用メールアドレスへの送信を指示し、
前記担当者が前記第１、第２の画像ファイル群の前記ハードディスクへの格納を終了して完了情報を入力すると、前記アクセス情報の前記連絡用メールアドレスへの送信を指示し、
前記アクセス情報と前記登録ＩＤとを使って前記撮影者が前記サーバにアクセスして来ると、前記撮影者の端末装置のブラウザ上に前記第１の画像ファイル群の画像群が表示される様に指示し、
これら画像群の中から前記撮影者が所望の画像を決めると、この所望の画像に対応する前記第２の画像ファイル群の画像ファイルのダウンロードを可能にすることを特徴とする銀塩写真の画像データ配信システム。
【発明の詳細な説明】
【技術分野】
【０００１】
本発明は、撮影済みのフィルム（ネガフィルムも含む）をサービスラボへ送れば、フィルム画像の画像データをネットワークを介してダウンロードできる、銀塩写真の画像データ配信方法および銀塩写真の画像データ配信システムに関する。
【背景技術】
【０００２】
銀塩写真の場合、撮影者は、通常、撮影済みのフィルムをサービスラボやその代理店へ持って行き、仕上時間（数時間〜数日）経過後に再び出向いて、光沢紙（ＣＤ−ＲＯＭの併用も有る）に焼き付けられた写真を受け取っている。このため、撮影者は、仕上時間経過後に再びサービスラボ等へ出向く必要があり面倒である。
【０００３】
特許文献１には、サービスラボから離間した遠隔地から写真プリントを選択及び注文するための写真プリント選択注文方法が記載されている。
【０００４】
特許文献２には、ＩＴを活用した焼増し注文システムが開示されている。
特許文献３には、電子写真方式画像形成装置が開示されている。
【特許文献１】特開２００４−３２６７８号公報
【特許文献２】特開２００３−１５０６９４号公報
【特許文献３】特開２００５−４９５３０号公報
【発明の開示】
【発明が解決しようとする課題】
【０００５】
特許文献１において、遠隔地から選択注文できるのは、紙にプリントした写真である。  特許文献２において、ホームページから注文依頼できるのは、焼増し注文である。
特許文献３において、仕上がるのは、平滑光沢紙にプリントされた写真である。
【０００６】
本発明の第１の目的は、撮影済みのフィルムを、持参するか運搬手段を介してサービスラボへ送れば、フィルム画像をデジタル化した画像ファイルがネットワークを介してダウンロードできる、銀塩写真の画像データ配信方法の提供にある。
【０００７】
本発明の第２の目的は、撮影済みのフィルムを、持参するか運搬手段を介してサービスラボへ送り、連絡用メールアドレスに届いたアクセス情報に従ってサーバにアクセスすれば、フィルム画像をデジタル化した画像ファイルがネットワークを介してダウンロードできる、銀塩写真の画像データ配信方法の提供にある。
【０００８】
本発明の第３の目的は、撮影済みのフィルムを、持参するか運搬手段を介してサービスラボへ送り、連絡用メールアドレスに届いたアクセス情報に従ってサーバにアクセスすれば、ネットワークを介して、全部の撮影画像がブラウザ上で視認でき、且つ所望の画像ファイルのみをダウンロードできる、銀塩写真の画像データ配信方法の提供にある。
【０００９】
本発明の第４の目的は、撮影済みのフィルムを、持参するか運搬手段を介してサービスラボへ送り、登録ＩＤおよび連絡用メールアドレスに届いたアクセス情報に従ってサーバにアクセスすれば、フィルム画像をデジタル化した画像ファイルがネットワークを介してダウンロードできる、銀塩写真の画像データ配信方法の提供にある。
【００１０】
本発明の第５の目的は、撮影済みのフィルムを、持参するか運搬手段を介してサービスラボへ送り、登録ＩＤおよび連絡用メールアドレスに届いたアクセス情報に従ってサーバにアクセスすれば、ネットワークを介して、全部の撮影画像がブラウザ上で視認でき、且つ所望の画像ファイルのみをダウンロードできる、銀塩写真の画像データ配信方法の提供にある。
【００１１】
本発明の第６の目的は、撮影済みのフィルムを、持参するか運搬手段を介してサービスラボへ送り、登録ＩＤおよび連絡用メールアドレスに届いたアクセス情報に従ってサーバにアクセスすれば、フィルム画像をデジタル化した画像ファイルがネットワークを介してダウンロードできる、銀塩写真の画像データ配信システムの提供にある。
【００１２】
本発明の第７の目的は、撮影済みのフィルムを、持参するか運搬手段を介してサービスラボへ送り、登録ＩＤおよび連絡用メールアドレスに届いたアクセス情報に従ってサーバにアクセスすれば、ネットワークを介して、全部の撮影画像がブラウザ上で視認でき、且つ所望の画像ファイルのみをダウンロードできる、銀塩写真の画像データ配信システムの提供にある。
【課題を解決するための手段】
【００１３】
（請求項１について）
サービスラボは、撮影済みのフィルムを撮影者から、直接または運搬手段を介してサービスラボが受け取る（フィルム受取工程）。なお、撮影者の場所がサービスラボに近い場合には撮影済みのフィルムを持参し、遠い場合には郵送や宅配便等の運搬手段を使う。
サービスラボは、受け取った撮影済みのフィルムに対し、所定の化学処理剤で現像処理を行う（現像工程）。
サービスラボは、現像済みのフィルムに写っている各フィルム画像をスキャナーを使って光学的に走査し、デジタル化された複数の画像ファイルを作成する（スキャニング工程）。
サービスラボは、ネットワークへ接続したサーバのハードディスクへ複数の画像ファイルを格納する（ファイル格納工程）。
【００１４】
撮影者は、サービスラボ側のハードディスクに格納された画像ファイルにネットワークを介してアクセスすれば、サービスラボへ出向くことなく、自宅や撮影先等の離れた場所から、フィルム画像をデジタル化した画像ファイルをダウンロードすることができる。なお、ダウンロードした画像ファイルは、デジタルデータであるので、プリンターで印刷したり、編集ソフトを使って編集することができる。
【００１５】
（請求項２について）
サービスラボは、連絡用メールアドレスとともに、撮影済みのフィルムを撮影者から、直接または運搬手段を介して受け取る（フィルム受取工程）。なお、撮影者の場所がサービスラボに近い場合には撮影済みのフィルムを持参し連絡用メールアドレスを伝える。また、サービスラボから遠い場合には、連絡用メールアドレスを記載した紙等とともにフィルムを、郵送や宅配便等の運搬手段で送る。
サービスラボは、受け取った撮影済みのフィルムに対し、所定の化学処理剤で現像処理を行う（現像工程）。
【００１６】
サービスラボは、現像済みのフィルムに写っている各フィルム画像をスキャナーを使って光学的に走査し、デジタル化された複数の画像ファイルを作成する（スキャニング工程）。
サービスラボは、ネットワークへ接続したサーバのハードディスクへ複数の画像ファイルを格納する（ファイル格納工程）。
【００１７】
画像ファイルのハードディスクへの格納後、サービスラボ側のサーバは、アクセス情報を連絡用メールアドレスへ送信し、撮影者がネットワークを介してハードディスクに格納された画像ファイルにアクセスできる様にする（配信準備工程）。
【００１８】
撮影者は、連絡用メールアドレスに届いたアクセス情報を使い、ネットワークを介してサービスラボ側のハードディスクに格納された画像ファイルにアクセスすれば、サービスラボへ出向くことなく、自宅や撮影先等の離れた場所から、フィルム画像をデジタル化した画像ファイルをダウンロードすることができる。なお、ダウンロードした画像ファイルは、デジタルデータであるので、プリンターで印刷したり、編集ソフトを使って編集することができる。
【００１９】
撮影者は、ハードディスクへの画像ファイルの格納が完了して、連絡用メールアドレスにアクセス情報が届いてから画像ファイルにアクセスすることになるのでアクセスするタイミングを誤らない。このため、撮影済みフィルムをサービスラボに預けた撮影者が大勢いる場合でも、同じ時間帯にアクセスが集中し難く、早いダウンロード速度が得られるとともに、サーバダウンを防止できる。
【００２０】
（請求項３について）
サービスラボは、連絡用メールアドレスとともに、撮影済みのフィルムを撮影者から、直接または運搬手段を介して受け取る（フィルム受取工程）。なお、撮影者の場所がサービスラボに近い場合には撮影済みのフィルムを持参し、連絡用メールアドレスをサービスラボに伝える。また、サービスラボから遠い場合には、連絡用メールアドレスを記載した紙等とともにフィルムを、郵送や宅配便等の運搬手段でサービスラボへ送る。
サービスラボは、受け取った撮影済みのフィルムに対し、所定の化学処理剤で現像処理を行う（現像工程）。
【００２１】
サービスラボは、現像済みのフィルムをスキャナーを使って、パーフォレーター外側のエッジナンバーも含めて、写っている各フィルム画像を第１の分解能で光学的に走査し、デジタル化した第１の画像ファイル群を作成する（第１のスキャニング工程）。
つぎに、サービスラボは、第１の分解能より高い第２の分解能で、現像済みのフィルムの写っている各フィルム画像を一つずつ走査し、デジタル化した第２の画像ファイル群を作成する（第２のスキャニング工程）。
【００２２】
サービスラボは、ラボが管理し、ネットワークに接続したサーバの所定フォルダへ、第１、第２の画像ファイル群を格納する（ファイル格納工程）。
第１、第２の画像ファイル群のハードディスクへの格納後、サービスラボ側のサーバは、アクセス用のアドレスやパスワード等のアクセス情報を撮影者の連絡用メールアドレスへ送信し、撮影者がネットワークを介してハードディスクに格納された画像ファイルにアクセスできる様にする（配信準備工程）。
【００２３】
撮影者は、連絡用メールアドレスに届いたアクセス情報に基づいて、ネットワークを介してサービスラボ側のハードディスクに格納された第１、第２の画像ファイル群にアクセスすれば、サービスラボへ出向くことなく、自宅や撮影先等の離れた場所から、フィルム画像をデジタル化した第１、第２の画像ファイルを、閲覧したりダウンロードすることができる。なお、画像ファイルは、デジタルデータであるので、プリンターで印刷したり、編集ソフトを使って編集することができる。
【００２４】
撮影者は、ハードディスクへの第１、第２の画像ファイル群の格納が完了して、連絡用メールアドレスにアクセス情報が届いてから各画像ファイルにアクセスすることになるのでアクセスするタイミングを誤らない。
また、撮影済みフィルムをサービスラボに預けた撮影者が大勢いる場合でも、同じ時間帯にアクセスが集中し難く、早いダウンロード速度が得られるとともに、サーバダウンを防止できる。
【００２５】
パーフォレーター外側のエッジナンバーも含めて、写っている各フィルム画像を第１の分解能で光学的に走査し、デジタル化した第１の画像ファイル群を作成し、サービスラボ側のハードディスクに格納する構成である。
このため、撮影者は、第１の画像ファイルが連なった状態で連続的に閲覧できるとともに、エッジナンバーにより、何枚目に撮ったかが容易に把握できる。
また、第２の画像ファイル群の中の不要なファイルを撮影者がダウンロードしないので、様々な不具合を防止できる。例えば、第１の画像ファイルを閲覧してピンボケ等の瑕疵が見つかった場合には、撮影者は、そのファイルに相当する第２の画像ファイルをダウンロードしないので、サーバのトラフィックが軽減される。
【００２６】
（請求項４について）
サービスラボは、撮影済みのフィルムを、連絡用メールアドレスに対して登録ＩＤが発行済の撮影者から、直接または運搬手段を介して受け取る（フィルム受取工程）。なお、撮影者の場所がサービスラボに近い場合には撮影済みのフィルムを持参し、サービスラボから遠い場合には、郵送や宅配便等の運搬手段でサービスラボへフィルムを送る。
【００２７】
撮影済みのフィルムをサービスラボが受け取ると、担当者がサーバに入力し、サーバは、フィルム受取日時と予定仕上時刻とを記載した連絡文を撮影者の連絡用メールアドレスへ送信する（受取連絡工程）。
サービスラボは、受け取った撮影済みのフィルムに対し、所定の化学処理剤で現像処理を行う（現像工程）。
【００２８】
サービスラボは、現像済みのフィルムに写っている各フィルム画像をスキャナーを使って光学的に走査し、デジタル化された複数の画像ファイルを作成する（スキャニング工程）。
サービスラボは、ハードディスクを有し、ネットワークへ接続したサーバの所定フォルダへ複数の画像ファイルを格納する（ファイル格納工程）。
サービスラボ側のサーバは、ファイル格納後に、画像ファイルが格納された所定フォルダへ登録ＩＤを使ってアクセス可能な、接続用ＵＲＬや認証ＰＷ等のアクセス情報を連絡用メールアドレスへ送信する（配信準備工程）。
【００２９】
撮影者は、登録ＩＤおよび連絡用メールアドレスに届いたアクセス情報を使ってサーバにアクセスし、複数の画像ファイルをダウンロードする。
【００３０】
撮影者は、ネットワークを介してサービスラボ側のハードディスクの所定フォルダに格納された画像ファイルにアクセスすれば、サービスラボへ出向くことなく、自宅や撮影先等の離れた場所から、各フィルム画像をデジタル化した複数の画像ファイルをダウンロードすることができる。なお、ダウンロードした各画像ファイルは、デジタルデータであるので、プリンターで印刷したり、編集ソフトを使って編集することができる。
【００３１】
ハードディスクへの画像ファイルの格納が全て完了し、連絡用メールアドレスにアクセス情報が届いてからアクセスすることになるので、撮影者は、アクセスするタイミングを誤らない。
サービスラボが撮影済みのフィルムを受け取ると、フィルム受取日時と予定仕上時刻とを記載した連絡文を撮影者の連絡用メールアドレスへ送信する構成であるので、フィルムが届いたことを確認できるとともに、画像ファイルをダウンロードできる仕上時刻が把握できるので便利である。
撮影者が多くフィルムの受取り本数が多い場合には、予定仕上時刻を後方にずらす様にすれば、アクセスの集中を防止でき、サーバのトラフィックを軽減できる。
【００３２】
（請求項５について）
サービスラボは、撮影済みのフィルムを、連絡用メールアドレスに対して登録ＩＤが発行済の撮影者から、直接または運搬手段を介して受け取る（フィルム受取工程）。なお、撮影者の場所がサービスラボに近い場合には撮影済みのフィルムを持参し、サービスラボから遠い場合には、郵送や宅配便等の運搬手段でサービスラボへフィルムを送る。
【００３３】
撮影済みのフィルムをサービスラボが受け取ると、担当者がサーバに入力し、サーバは、フィルム受取日時と予定仕上時刻とを記載した連絡文を撮影者の連絡用メールアドレスへ送信する（受取連絡工程）。
【００３４】
サービスラボは、受け取った撮影済みのフィルムに対し、所定の化学処理剤で現像処理を行う（現像工程）。
【００３５】
サービスラボは、現像済みのフィルムをスキャナーを使って、パーフォレーター外側のエッジナンバーも含めて、写っている各フィルム画像を第１の分解能で光学的に走査し、デジタル化した第１の画像ファイル群を作成する（第１のスキャニング工程）。
つぎに、サービスラボは、第１の分解能より高い第２の分解能で、現像済みのフィルムの写っている各フィルム画像を一つずつ走査し、デジタル化した第２の画像ファイル群を作成する（第２のスキャニング工程）。
【００３６】
撮影者が登録ＩＤを使い、ネットワークを介して、第１の画像ファイル群の各画像がブラウザ上で視認でき、且つ、第２の画像ファイル群の中の所望の画像ファイルをダウンロードできる様にするためのアクセス情報を、第１、第２の画像ファイル群の格納後に、サービスラボ側のサーバが連絡用メールアドレスへ送信する
【００３７】
撮影者は、登録ＩＤと連絡用メールアドレスに届いたアクセス情報に基づいてアクセスすると、第１の画像ファイル群の画像がブラウザ上に表示され、これら画像の中から所望の画像を決めれば、この画像に対応する第２の画像ファイル群の画像ファイルをダウンロードすることができる。
【００３８】
撮影者は、登録ＩＤと連絡用メールアドレスに届いたアクセス情報に基づいて、ネットワークを介してサービスラボ側のハードディスクに格納された第１、第２の画像ファイル群にアクセスすれば、サービスラボへ出向くことなく、自宅や撮影先等の離れた場所から、フィルム画像をデジタル化した第１、第２の画像ファイルを、閲覧したりダウンロードすることができる。なお、画像ファイルは、デジタルデータであるので、プリンターで印刷したり、編集ソフトを使って編集することができる。
【００３９】
撮影者には、予定仕上時刻が予め知らされており、且つ、ハードディスクへの第１、第２の画像ファイル群の格納が完了して、連絡用メールアドレスにアクセス情報が届いてから各画像ファイルにアクセスするのでアクセスするタイミングを誤らない。
また、撮影済みフィルムをサービスラボに預けた撮影者が大勢いる場合でも、同じ時間帯にアクセスが集中し難く、早いダウンロード速度が得られるとともに、サーバダウンを防止できる。
【００４０】
パーフォレーター外側のエッジナンバーも含めて、写っている各フィルム画像を第１の分解能で光学的に走査し、デジタル化した第１の画像ファイル群を作成し、サービスラボ側のハードディスクに格納する構成である。
このため、撮影者は、第１の画像ファイルが連なった状態で連続的に閲覧できるとともに、エッジナンバーにより、何枚目に撮ったかが容易に把握できる。
また、第２の画像ファイル群の中の不要なファイルを撮影者がダウンロードしないので、様々な不具合を防止できる。例えば、第１の画像ファイルを閲覧してピンボケ等の瑕疵が見つかった場合には、撮影者は、そのファイルに相当する第２の画像ファイルをダウンロードしないので、サーバのトラフィックが軽減される。
【００４１】
（請求項６について）
登録ＩＤおよび連絡用メールアドレスを有する撮影者から、撮影済みのフィルムを、直接または運搬手段を介してサービスラボが受け取る。
【００４２】
ネットワークに接続したサーバを制御するマイクロコンピュータは、サービスラボの担当者が撮影済みのフィルムを受け取って受取情報を入力すると、フィルム受取日時と予定仕上時刻とを記載した連絡文の連絡用メールアドレスへの送信を指示する。これにより、フィルム受取日時と予定仕上時刻とを記載した連絡文が、サーバから撮影者の連絡用メールアドレスへ送信される。
【００４３】
撮影済みのフィルムを受け取ったサービスラボは、所定の化学処理剤による現像処理を行う。
サービスラボの担当者は、現像済みのフィルムの各フィルム画像を光学的に走査して作成した複数のデジタル化した画像ファイルをサーバのハードディスクへ全て格納する。
【００４４】
サービスラボの担当者が画像ファイルのハードディスクへの格納を終了して完了情報を入力すると、サーバを制御するマイクロコンピュータは、ネットワークを介して画像ファイルへアクセスするためのアクセス情報の連絡用メールアドレスへの送信を指示する。これにより、画像ファイルの格納後に、サーバからアクセス情報が連絡用メールアドレスへ送信される。
撮影者は、登録ＩＤおよび連絡用メールアドレスに届いたアクセス情報を使い、サーバのハードディスクに格納された画像ファイルをネットワークを介してダウンロードする。  
【００４５】
この銀塩写真の画像データ配信システムを利用すれば、撮影者は、ネットワークを介してサービスラボ側のハードディスクの所定フォルダに格納された画像ファイルにアクセスすれば、サービスラボへ出向くことなく、自宅や撮影先等の離れた場所から、各フィルム画像をデジタル化した複数の画像ファイルをダウンロードすることができる。なお、ダウンロードした各画像ファイルは、デジタルデータであるので、プリンターで印刷したり、編集ソフトを使って編集することができる。
【００４６】
ハードディスクへの画像ファイルの格納が全て完了し、連絡用メールアドレスにアクセス情報が届いてからアクセスすることになるので、撮影者は、アクセスするタイミングを誤らない。
この銀塩写真の画像データ配信システムでは、サービスラボが撮影済みのフィルムを受け取ると、フィルム受取日時と予定仕上時刻とを記載した連絡文を撮影者の連絡用メールアドレスへ送信する構成であるので、フィルムが届いたことを確認できるとともに、画像ファイルをダウンロードできる仕上時刻が把握できるので便利である。
撮影者が多くフィルムの受取り本数が多い場合には、予定仕上時刻を後方にずらす様にすれば、アクセスの集中を防止でき、サーバのトラフィックを軽減できる。
【００４７】
（請求項７について）
登録ＩＤおよび連絡用メールアドレスを有する撮影者から、撮影済みのフィルムを、直接または運搬手段を介してサービスラボが受け取る。
【００４８】
ネットワークに接続したサーバを制御するマイクロコンピュータは、担当者が撮影済みのフィルムを受け取って受取情報を入力すると、フィルム受取日時と予定仕上時刻とを記載した連絡文の、撮影者の連絡用メールアドレスへの送信を指示する。これにより、フィルム受取日時と予定仕上時刻とを記載した連絡文が、サーバから撮影者の連絡用メールアドレスへ送信される。
【００４９】
撮影済みのフィルムを受け取ったサービスラボは、所定の化学処理剤による現像処理を行う。
サービスラボの担当者は、現像済みのフィルムの各フィルム画像を、パーフォレーター外側のエッジナンバーも含めて光学的に第１の分解能で走査し、作成されたデジタル化した第１の画像ファイル群をサーバのハードディスクへ格納する。
つぎに、サービスラボの担当者は、第１の分解能より高い第２の分解能で、現像済みのフィルムのフィルム画像を一つずつ走査し、作成されたデジタル化した第２の画像ファイル群をサーバのハードディスクへ格納する。
【００５０】
画像ファイルのハードディスクへの格納を終了して完了情報を入力すると、サーバを制御するマイクロコンピュータは、ネットワークを介して画像ファイルへアクセスするためのアクセス情報の連絡用メールアドレスへの送信を指示する。これにより、画像ファイルの格納後に、サーバからアクセス情報が連絡用メールアドレスへ送信される。
【００５１】
連絡用メールアドレスに届いたアクセス情報と、登録ＩＤとを使って撮影者がサーバにアクセスしてくると、マイクロコンピュータは、撮影者の端末装置のブラウザ上に第１の画像ファイル群の画像群が表示される様に指示する。これにより、撮影者の端末装置のブラウザ上に、第１の分解能の画像ファイル群の複数の画像が表示される。
【００５２】
撮影者は、端末装置のブラウザ上に表示される複数の画像の中から、ダウンロードする所望の画像を決める。
サーバのマイクロコンピュータは、撮影者が決めた所望の画像に対応する第２の画像ファイル群の画像ファイルをダウンロード可能にする。
これにより、撮影者の端末装置へ、所望の画像に対応する第２の画像ファイル群の画像ファイルがダウンロードされる。
【００５３】
撮影者は、登録ＩＤと連絡用メールアドレスに届いたアクセス情報に基づいてアクセスし、サービスラボ側のハードディスクに格納された第１、第２の画像ファイル群に到達すれば、サービスラボへ出向くことなく、自宅や撮影先等の離れた場所から、フィルム画像をデジタル化した第１、第２の画像ファイルを、閲覧したりダウンロードすることができる。なお、画像ファイルは、デジタルデータであるので、プリンターで印刷したり、編集ソフトを使って編集することができる。
【００５４】
撮影者には、予定仕上時刻が予め知らされており、且つ、ハードディスクへの第１、第２の画像ファイル群の格納が完了して、連絡用メールアドレスにアクセス情報が届いてから各画像ファイルにアクセスするのでアクセスするタイミングを誤らない。
また、撮影済みフィルムをサービスラボに預けた撮影者が大勢いる場合でも、同じ時間帯にアクセスが集中し難く、早いダウンロード速度が得られるとともに、サーバダウンを防止できる。
【００５５】
パーフォレーター外側のエッジナンバーも含めて、写っている各フィルム画像を第１の分解能で光学的に走査し、デジタル化した第１の画像ファイル群を作成し、サービスラボ側のハードディスクに格納する構成である。
このため、撮影者は、第１の画像ファイルが連なった状態で連続的に閲覧できるとともに、エッジナンバーにより、何枚目に撮ったかが容易に把握できる。
また、第２の画像ファイル群の中の不要なファイルを撮影者がダウンロードしないので、様々な不具合を防止できる。例えば、第１の画像ファイルを閲覧してピンボケ等の瑕疵が見つかった場合には、撮影者は、そのファイルに相当する第２の画像ファイルをダウンロードしないので、サーバのトラフィックが軽減される。
【発明を実施するための最良の形態】
【００５６】
サービスラボは、撮影済みのフィルムを撮影者から、手渡しまたは郵送や宅配便等で受け取る。
サービスラボは、受け取った撮影済みのフィルムに対し、所定の化学処理剤で現像処理を行う。
サービスラボは、現像済みのフィルムに写っている各フィルム画像をスキャナーを使って光学的に走査し、デジタル化された複数の画像ファイルを作成する。
サービスラボは、ネットワークへ接続したサーバのハードディスクへ複数の画像ファイルを格納する。
【００５７】
撮影者は、サービスラボ側のサーバにネットワークを介してアクセスすれば、サービスラボへ出向くことなく、自宅や撮影先等の離れた場所から、フィルム画像がデジタル化された画像ファイルをダウンロードすることができる。また、ダウンロードした画像ファイルは、デジタルデータであるので、プリンターで印刷したり、編集ソフトを使って編集することができる。
【実施例１】
【００５８】
本発明の実施例１（請求項５、７に対応）を図１〜図３に基づいて説明する。
図１に示す如く、銀塩写真の画像データ配信システムに用いるサーバ１は、高速のインターネット回線２（ネットワーク）に常時接続され、固定アドレスが割り振られ、サービスラボ内に設置されている。
【００５９】
サーバ１は、マザーボード、ハードディスク（何れも、図示せず）、キーボード１１、ディスプレイ１２、およびマウス１３等を備え、マイクロコンピュータ（図示せず）により制御されている。
マザーボードには、ＣＰＵ（図示せず）、フィルムスキャナー３を接続するためのインターフェイス回路、ＲＡＭ、ＬＡＮユニット、ビデオカード等（何れも、図示せず）が組み込まれている。
【００６０】
マザーボードのＳ−ＡＴＡ端子に接続したハードディスクには、ＯＳ、各種ドライバ、各種ソフトウエアーがインストールされている。また、このハードディスクには、受付データ、および第１、第２の画像ファイル群が格納される。
インターネット回線２には、撮影者ａのノートパソコン４１以外に、他の撮影者（複数人）のパソコン（例えば、撮影者ｂのパソコン５１）が接続されている。
【００６１】
本実施例では、以下の様にして、銀塩写真の画像データを撮影者ａのノートパソコン４１に配信する。
銀塩写真の画像データ配信システムを利用する撮影者ａは、連絡用メールアドレスをサービスラボに登録（正確にはサーバ１に登録）しておき、その連絡用メールアドレスに対して登録ＩＤをサービスラボから発行してもらっておく。
【００６２】
撮影者ａは、リバーサルフィルム４２を装填したフィルム式の一眼レフカメラ４３を使って撮影現場で撮影を行う（図１参照）。
つぎに、撮影者ａは、撮影済みのリバーサルフィルム４２を登録ＩＤを書いた紙４４とともに封筒４５に入れ、切手４６を貼ってサービスラボへ郵送する（図１、および図２のステップＳ１参照）。
なお、撮影者ａがサービスラボに近い場合には、登録ＩＤを書いた紙４４とともに撮影済みのリバーサルフィルム４２をサービスラボへ持参しても良い。
【００６３】
撮影済みのリバーサルフィルム４２をサービスラボが受け取る（図１、および図２のステップｓｔ１参照）と、担当者（図示せず）がキーボード１１から登録ＩＤおよびフィルム本数等の受付データを入力し（図１参照）、受付データがサーバ１に登録される（図２のステップｓ１参照）。
【００６４】
受付データが登録されると、サーバ１のマイクロコンピュータは、予定仕上時刻を、例えば、下記の様に計算して決定する（図２のステップｓ２）。
フィルム受取日時＝受付データが入力された時間
予定仕上時刻＝
フィルム受取日時＋４ｈ×（未現像のフィルム本数）
【００６５】
そして、サーバ１は、フィルム受取日時と予定仕上時刻とを記載した連絡文を、登録ＩＤに対応する撮影者ａの連絡用メールアドレスへ送信する（図２のステップｓ３参照）。  これにより、撮影者ａの連絡用メールアドレスに連絡文が送られ、ノートパソコン４１から、フィルム受取日時および予定仕上時刻を見ることができる（ステップＳ２）。
【００６６】
一方、サービスラボの担当者は、撮影済みのリバーサルフィルム４２を所定の化学処理剤で、一連の現像処理を行う（図２のステップｓｔ２）。
【００６７】
つぎに、サービスラボの担当者は、フィルムスキャナー２を用い、現像済みのリバーサルフィルム４２の各フィルム画像をパーフォレーター外側のエッジナンバーも含めて光学的に第１の分解能（１００ｄｐｉ〜２００ｄｐｉの低分解能）で走査し、デジタル化した第１の画像ファイル群を作成する。更に、上記第１の分解能より高い第２の分解能（６００ｄｐｉ〜１６０００ｄｐｉの高分解能）で、現像済みのリバーサルフィルム４２のフィルム画像を一つずつ走査し、デジタル化した第２の画像ファイル群を作成する（図２のステップｓｔ３）。
【００６８】
つぎに、サービスラボの担当者は、ハードディスクを有し、インターネット回線２に接続したサーバ１のハードディスクの所定フォルダへ、第１、第２の画像ファイル群を格納する（図２のステップｓｔ４）。
【００６９】
第１、第２の画像ファイル群のサーバ１への格納が終了すると、サービスラボの担当者は、アクセス情報の発信指示をサーバに出す。これにより、サーバ１は、登録ＩＤと併用して、ファイルへのアクセスが可能となるアクセス情報を撮影者ａの連絡用メールアドレスへ発信する（図２のステップｓ４）。
【００７０】
撮影者ａは、予定仕上時刻以降にメールをチェックし、登録ＩＤと届いているアクセス情報とを使ってサーバ１にアクセスし、第１の画像ファイル群のブラウザ上からの閲覧を指示する（図２のステップＳ３）。
【００７１】
上記指示を受けると、サーバ１は、撮影者ａのノートパソコン４１による、第１の画像ファイル群の各画像のブラウザ表示を可能にする（図２のステップｓ５、図３参照）。なお、サーバ１による液晶モニタＭへのブラウザ表示は、図３に示す様に行う。
図３において、ノートパソコン４１の液晶モニタＭに表示されるチェックボックスｃ１〜ｃ４は、チェックを入れた画像の第１の画像ファイルに対応する第２の画像ファイルをボタンＤのクリックでダウンロード可能にするためのものである。
【００７２】
撮影者ａは、ブラウザ上に表示される左右上下ボタンＥやズームボタンＺを使って、液晶モニタＭの全ての画像を確認し、ピンボケ等の瑕疵がある画像以外の画像の上のチェックボックスにチェックを入れ、ボタンＤをクリックする（図２のステップＳ４）。
【００７３】
サーバ１は、ボタンＤのクリックを確認すると、画像の上のチェックボックスにチェックが入った第２の画像ファイルを所定の形式（圧縮、個別）でダウンロード可能にする（図２のステップｓ６）。
【００７４】
撮影者ａは、ノートパソコン４１のハードディスクに、チェックボックスにチェックを入れた複数の第２の画像ファイルをダウンロードする（図２のステップＳ５）。
ダウンロードが完了した後、撮影者ａは、画像の加工やプリントアウトを行う（図２のステップＳ６）。
【００７５】
本実施例の銀塩写真の画像データ配信システムは、以下の利点を有する。
予定仕上時刻以降に撮影者ａがメールをチェックし、登録ＩＤと届いているアクセス情報とを使ってサーバ１にアクセスすれば、ノートパソコン４１により、サービスラボへ出向くことなく、インターネット回線２への接続が可能な、自宅や撮影先等の離れた場所から撮影画像をブラウザ上で確認することができる。そして、ノートパソコン４１の液晶モニタＭに表示されるチェックボックスにチェックを入れて、ボタンＤをクリックすれば、それらの画像に対応する第２の画像ファイルをダウンロードすることができる。なお、ダウンロードした各画像ファイルは、デジタルデータであるので、プリンターで印刷したり、編集ソフトを使って編集することができる。
【００７６】
撮影者ａは、図２のステップＳ２で予定仕上時刻が予め知らされており、且つ、サーバ１への画像ファイルの格納が完了して、図２のステップＳ３で連絡用メールアドレスにアクセス情報が届いてからアクセスするのでアクセスするタイミングを誤らない。
また、予定仕上時刻を各撮影者個別に知らせておくので、撮影済みのリバーサルフィルム４２をサービスラボに預けた撮影者が大勢いる場合でも、同じ時間帯にアクセスが集中し難く、早いダウンロード速度が得られるとともに、サーバダウンを防止できる。
【００７７】
ノートパソコン４１の液晶モニタＭには、現像済みのリバーサルフィルム４２の各フィルム画像がパーフォレーター外側のエッジナンバーも含めて表示される。
このため、撮影者ａは、現像済みのリバーサルフィルム４２を見ている感覚で、画像を閲覧できるとともに、エッジナンバーにより、その画像が何枚目に撮ったかが容易に把握できる。
また、ピンボケ等の瑕疵が見つかった画像は、撮影者ａがその画像ファイルをダウンロードしないので、サーバのトラフィックが軽減される。
【実施例２】
【００７８】
つぎに、本発明の実施例２（請求項４、６に対応）を図１および図４に基づいて説明する。
実施例２の銀塩写真の画像データ配信システムに用いるサーバ１は、実施例１と同様に、高速のインターネット回線２に常時接続され、固定アドレスが割り振られ、サービスラボ内に設置されている。
【００７９】
サーバ１は、実施例１と同様に、マザーボード、ハードディスク、キーボード１１、ディスプレイ１２、およびマウス１３等を備え、マイクロコンピュータ（図示せず）により制御されている。
マザーボードには、ＣＰＵ、フィルムスキャナー３を接続するためのインターフェイス回路、ＲＡＭ、ＬＡＮユニット、ビデオカード等が組み込まれている。
【００８０】
マザーボードのＳ−ＡＴＡ端子に接続したハードディスクには、実施例１と同様に、ＯＳ、各種ドライバ、各種ソフトウエアーがインストールされている。また、このハードディスクには、受付データ、および第１、第２の画像ファイル群が格納される。
インターネット回線２には、撮影者ａのノートパソコン４１以外に、他の撮影者（複数人）のパソコン（例えば、撮影者ｂのパソコン５１）が接続されている。
【００８１】
本実施例では、以下の様にして、銀塩写真の画像データを撮影者ａのノートパソコン４１に配信する。
銀塩写真の画像データ配信システムを利用する撮影者ａは、実施例１と同様に、連絡用メールアドレスをサービスラボに登録（正確にはサーバ１に登録）しておき、その連絡用メールアドレスに対して登録ＩＤをサービスラボから発行してもらっておく。
【００８２】
撮影者ａは、リバーサルフィルム４２を装填したフィルム式の一眼レフカメラ４３を使って撮影現場で撮影を行う（図１参照）。
つぎに、撮影者ａは、撮影済みのリバーサルフィルム４２を登録ＩＤを書いた紙４４とともに封筒４５に入れ、切手４６を貼ってサービスラボへ郵送する（図１、および図４のステップＳ１ａ参照）。
なお、撮影者ａがサービスラボに近い場合には、登録ＩＤを書いた紙４４とともに撮影済みのリバーサルフィルム４２をサービスラボへ持参しても良い。
【００８３】
撮影済みのリバーサルフィルム４２をサービスラボが受け取る（図１、および図４のステップｓｔ１ａ参照）と、担当者（図示せず）がキーボード１１から登録ＩＤおよびフィルム本数等の受付データを入力し（図１参照）、受付データがサーバ１に登録される（図４のステップｓ１ａ参照）。
【００８４】
受付データが登録されると、サーバ１のマイクロコンピュータは、予定仕上時刻を、例えば、下記の様に計算して決定する（図４のステップｓ２ａ）。
フィルム受取日時＝受付データが入力された時間
予定仕上時刻＝
フィルム受取日時＋３ｈ×（未現像のフィルム本数）
【００８５】
サーバ１は、フィルム受取日時と予定仕上時刻とを記載した連絡文を、登録ＩＤに対応する撮影者ａの連絡用メールアドレスへ送信する（図４のステップｓ３ａ参照）。これにより、撮影者ａの連絡用メールアドレスに連絡文が送られ、ノートパソコン４１から、フィルム受取日時および予定仕上時刻を見ることができる（図４のステップＳ２ａ）。
【００８６】
一方、サービスラボの担当者は、撮影済みのリバーサルフィルム４２を所定の化学処理剤で、一連の現像処理を行う（図４のステップｓｔ２ａ）。
【００８７】
サービスラボの担当者は、フィルムスキャナー３を用い、現像済みのリバーサルフィルム４２のフィルム画像を光学的に高分解能（６００ｄｐｉ〜１６０００ｄｐｉ）で走査し、デジタル化した画像ファイル群を作成する（図４のステップｓｔ３ａ）。
つぎに、サービスラボの担当者は、ハードディスクを有し、インターネット回線２に接続したサーバ１のハードディスクの所定フォルダへ、全ての画像ファイルを格納する（図４のステップｓｔ４ａ）。
【００８８】
全ての画像ファイルのサーバ１への格納が終了すると、サービスラボの担当者は、アクセス情報の発信指示をサーバに出す。これにより、サーバ１は、登録ＩＤと併用して、ファイルへのアクセスが可能となるアクセス情報を撮影者ａの連絡用メールアドレスへ発信する（図４のステップｓ４ａ）。
【００８９】
撮影者ａは、予定仕上時刻以降にメールをチェックし、登録ＩＤと届いているアクセス情報とを使ってサーバ１にアクセスする（図４のステップＳ３ａ）。
撮影者ａからのアクセスを確認すると、サーバ１は、全ての画像ファイルのダウンロードを可能にする（図４のステップｓ５ａ）。
【００９０】
撮影者ａは、ダウンロードが可能になったサーバ１から、ノートパソコン４１のハードディスクへ、全ての画像ファイルをダウンロードする（図４のステップＳ４ａ）。
ダウンロードが完了した後、撮影者ａは、画像の加工やプリントアウトを行う（図４のステップＳ５ａ）。
【００９１】
本実施例の銀塩写真の画像データ配信システムは、以下の利点を有する。
予定仕上時刻以降に撮影者ａがメールをチェックし、登録ＩＤと届いているアクセス情報とを使ってサーバ１にアクセスすれば、ノートパソコン４１により、サービスラボへ出向くことなく、インターネット回線２への接続が可能な、自宅や撮影先等の離れた場所から全ての画像ファイルをダウンロードすることができる。
なお、ダウンロードした各画像ファイルは、デジタルデータであるので、プリンターで印刷したり、編集ソフトを使って編集することができる。
【００９２】
撮影者ａは、図４のステップＳ２ａで予定仕上時刻が予め知らされており、且つ、サーバ１への画像ファイルの格納が完了して、図４のステップＳ３ａで連絡用メールアドレスにアクセス情報が届いてからアクセスするのでアクセスするタイミングを誤らない。
また、予定仕上時刻を各撮影者個別に知らせておくので、撮影済みのリバーサルフィルム４２をサービスラボに預けた撮影者が大勢いる場合でも、同じ時間帯にアクセスが集中し難く、早いダウンロード速度が得られるとともに、サーバダウンを防止できる。
【００９３】
現像済みのリバーサルフィルム４２の各フィルム画像をフィルムスキャナー３で光学的に高分解能で走査（１回）してデジタル化した画像ファイル群を作成する構成であるので、実施例１に比べ仕上時刻を短縮できる。
【実施例３】
【００９４】
つぎに、本発明の実施例３（請求項３に対応）を図１、図２、および図５に基づいて説明する。
実施例３の銀塩写真の画像データ配信システムに用いるサーバ１は、実施例１、２と同様に、高速のインターネット回線２に常時接続され、固定アドレスが割り振られ、サービスラボ内に設置されている。
【００９５】
サーバ１は、実施例１、２と同様に、マザーボード、ハードディスク、キーボード１１、ディスプレイ１２、およびマウス１３等を備え、マイクロコンピュータ（図示せず）により制御されている。
マザーボードには、ＣＰＵ、フィルムスキャナー３を接続するためのインターフェイス回路、ＲＡＭ、ＬＡＮユニット、ビデオカード等が組み込まれている。
【００９６】
マザーボードのＳ−ＡＴＡ端子に接続したハードディスクには、実施例１、２と同様に、ＯＳ、各種ドライバ、各種ソフトウエアーがインストールされている。また、このハードディスクには、受付データ、および第１、第２の画像ファイル群が格納される。
インターネット回線２には、撮影者ａのノートパソコン４１以外に、他の撮影者（複数人）のパソコン（例えば、撮影者ｂのパソコン５１）が接続されている。
【００９７】
本実施例では、以下の様にして、銀塩写真の画像データを撮影者ａのノートパソコン４１に配信する。
撮影者ａは、リバーサルフィルム４２を装填したフィルム式の一眼レフカメラ４３を使って撮影現場で撮影を行う（図１参照）。
つぎに、撮影者ａは、撮影済みのリバーサルフィルム４２を連絡用のメールアドレスを書いた紙４４とともに封筒４５に入れ、切手４６を貼ってサービスラボへ郵送する（図１、および図５のステップＳ１ｂ参照）。
なお、撮影者ａがサービスラボに近い場合には、連絡用のメールアドレスを書いた紙４４とともに撮影済みのリバーサルフィルム４２をサービスラボへ持参しても良い。
【００９８】
サービスラボは、紙４４と撮影済みのリバーサルフィルム４２とを受け取る（図１、および図５のステップｓｔ１ｂ参照）。
【００９９】
つぎに、サービスラボの担当者は、撮影済みのリバーサルフィルム４２を所定の化学処理剤で、一連の現像処理を行う（図５のステップｓｔ２ｂ）。
【０１００】
つぎに、サービスラボの担当者は、フィルムスキャナー３を用い、現像済みのリバーサルフィルム４２の各フィルム画像をパーフォレーター外側のエッジナンバーも含めて光学的に第１の分解能（１００ｄｐｉ〜２００ｄｐｉの低分解能）で走査し、デジタル化した第１の画像ファイル群を作成する。更に、上記第１の分解能より高い第２の分解能（６００ｄｐｉ〜１６０００ｄｐｉの高分解能）で、現像済みのリバーサルフィルム４２のフィルム画像を一つずつ走査し、デジタル化した第２の画像ファイル群を作成する（図５のステップｓｔ３ｂ）。
【０１０１】
つぎに、サービスラボの担当者は、ハードディスクを有し、インターネット回線２に接続したサーバ１のハードディスクの所定フォルダへ、第１、第２の画像ファイル群を格納する（図５のステップｓｔ４ｂ）。
【０１０２】
第１、第２の画像ファイル群のサーバ１への格納が終了すると、サービスラボの担当者は、アクセス情報の発信指示をサーバ１に出す。これにより、サーバ１は、ファイルへのアクセスが可能となるアクセス情報を撮影者ａの連絡用メールアドレスへ発信する（図５のステップｓ１ｂ）。
【０１０３】
連絡用メールアドレスにアクセス情報が届いている場合、撮影者ａは、そのアクセス情報を使ってサーバ１にアクセスし、第１の画像ファイル群のブラウザ上からの閲覧を指示する（図５のステップＳ２ｂ）。
【０１０４】
上記指示を受けると、サーバ１は、撮影者ａのノートパソコン４１による、第１の画像ファイル群の各画像のブラウザ表示を可能にする（図５のステップｓ２ｂ参照）。なお、サーバ１による液晶モニタＭへのブラウザ表示は、図３に示す様に行う。
図３において、ノートパソコン４１の液晶モニタＭに表示されるチェックボックスｃ１〜ｃ５は、チェックを入れた画像の第１の画像ファイルに対応する第２の画像ファイルをボタンＤのクリックでダウンロード可能にするためのものである。
【０１０５】
撮影者ａは、ブラウザ上に表示される左右上下ボタンＥやズームボタンＺを使って、液晶モニタＭの全ての画像を確認し、ピンボケ等の瑕疵がある画像以外の画像の上のチェックボックスにチェックを入れ、ボタンＤをクリックする（図５のステップＳ３ｂ）。
【０１０６】
サーバ１は、ボタンＤのクリックを確認すると、画像の上のチェックボックスにチェックが入った第２の画像ファイルを所定の形式（圧縮、個別）でダウンロード可能にする（図５のステップｓ３ｂ）。
【０１０７】
撮影者ａは、ノートパソコン４１のハードディスクに、チェックボックスにチェックを入れた複数の第２の画像ファイルをダウンロードする（図５のステップＳ４ｂ）。
ダウンロードが完了した後、撮影者ａは、画像の加工やプリントアウトを行う（図５のステップＳ５ｂ）。
【０１０８】
本実施例の銀塩写真の画像データ配信システムは、以下の利点を有する。
連絡用メールアドレスに届いたアクセス情報を使ってサーバ１にアクセスすれば、サービスラボへ出向くことなく、インターネット回線２への接続が可能な、自宅や撮影先等の離れた場所から撮影画像を、ノートパソコン４１のブラウザ上で確認することができる。  そして、ノートパソコン４１の液晶モニタＭに表示されるチェックボックスにチェックを入れて、ボタンＤをクリックすれば、それらの画像に対応する第２の画像ファイルをダウンロードすることができる。なお、ダウンロードした各画像ファイルは、デジタルデータであるので、プリンターで印刷したり、編集ソフトを使って編集することができる。
【０１０９】
ノートパソコン４１の液晶モニタＭには、現像済みのリバーサルフィルム４２の各フィルム画像がパーフォレーター外側のエッジナンバーも含めて表示される。
このため、撮影者ａは、現像済みのリバーサルフィルム４２を見ている感覚で、画像を閲覧できるとともに、エッジナンバーにより、その画像が何枚目に撮ったかが容易に把握できる。
また、ピンボケ等の瑕疵が見つかった画像は、撮影者ａがその画像ファイルをダウンロードしないので、サーバのトラフィックが軽減される。
【実施例４】
【０１１０】
つぎに、本発明の実施例４（請求項２に対応）を図１および図６に基づいて説明する。  実施例４の銀塩写真の画像データ配信システムに用いるサーバ１は、実施例１〜３と同様に、高速のインターネット回線２に常時接続され、固定アドレスが割り振られ、サービスラボ内に設置されている。
【０１１１】
サーバ１は、実施例１〜３と同様に、マザーボード、ハードディスク、キーボード１１、ディスプレイ１２、およびマウス１３等を備え、マイクロコンピュータ（図示せず）により制御されている。
マザーボードには、ＣＰＵ、フィルムスキャナー３を接続するためのインターフェイス回路、ＲＡＭ、ＬＡＮユニット、ビデオカード等が組み込まれている。
【０１１２】
マザーボードのＳ−ＡＴＡ端子に接続したハードディスクには、実施例１〜３と同様に、ＯＳ、各種ドライバ、各種ソフトウエアーがインストールされている。また、このハードディスクには、受付データ、および第１、第２の画像ファイル群が格納される。
インターネット回線２には、撮影者ａのノートパソコン４１以外に、他の撮影者（複数人）のパソコン（例えば、撮影者ｂのパソコン５１）が接続されている。
【０１１３】
本実施例では、以下の様にして、銀塩写真の画像データを撮影者ａのノートパソコン４１に配信する。
銀塩写真の画像データ配信システムを利用する撮影者ａは、リバーサルフィルム４２を装填したフィルム式の一眼レフカメラ４３を使って撮影現場で撮影を行い（図１参照）、撮影済みのリバーサルフィルム４２を連絡用のメールアドレスを書いた紙４４とともに封筒４５に入れ、切手４６を貼ってサービスラボへ郵送する（図１、および図６のステップＳ１ｃ参照）。
なお、撮影者ａがサービスラボに近い場合には、登録ＩＤを書いた紙４４とともに撮影済みのリバーサルフィルム４２をサービスラボへ持参しても良い。
【０１１４】
撮影済みのリバーサルフィルム４２をサービスラボが受け取る（図１、および図６の  ステップｓｔ１ｃ参照）。
【０１１５】
サービスラボの担当者は、撮影済みのリバーサルフィルム４２を所定の化学処理剤で、一連の現像処理を行う（図６のステップｓｔ２ｃ）。
【０１１６】
サービスラボの担当者は、フィルムスキャナー３を用い、現像済みのリバーサルフィルム４２のフィルム画像を光学的に高分解能（６００ｄｐｉ〜１６０００ｄｐｉ）で走査し、デジタル化した画像ファイル群を作成する（図６のステップｓｔ３ｃ）。
つぎに、サービスラボの担当者は、ハードディスクを有し、インターネット回線２に接続したサーバ１のハードディスクの所定フォルダへ、全ての画像ファイルを格納する（図６のステップｓｔ４ｃ）。
【０１１７】
全ての画像ファイルのサーバ１への格納が終了すると、サービスラボの担当者は、アクセス情報の発信指示をサーバに出す。これにより、サーバ１は、登録ＩＤと併用して、ファイルへのアクセスが可能となるアクセス情報を撮影者ａの連絡用メールアドレスへ発信する（図６のステップｓ１ｃ）。
【０１１８】
撮影者ａは、受け取ったアクセス情報を使ってサーバ１にアクセスする（図６のステップＳ２ｃ）。
撮影者ａからのアクセスを確認すると、サーバ１は、全ての画像ファイルのダウンロードを可能にする（図６のステップｓ２ｃ）。
【０１１９】
撮影者ａは、ダウンロードが可能になったサーバ１から、ノートパソコン４１のハードディスクへ、全ての画像ファイルをダウンロードする（図６のステップＳ３ｃ）。
ダウンロードが完了した後、撮影者ａは、画像の加工やプリントアウトを行う（図６のステップＳ４ｃ）。
【０１２０】
実施例４の銀塩写真の画像データ配信システムは、以下の利点を有する。
ノートパソコン４１から、届いたアクセス情報を撮影者ａが使ってサーバ１にアクセスすれば、サービスラボへ出向くことなく、インターネット回線２への接続が可能な、自宅や撮影先等の離れた場所から全ての画像ファイルをダウンロードすることができる。
なお、ダウンロードした各画像ファイルは、デジタルデータであるので、プリンターで印刷したり、編集ソフトを使って編集することができる。
【０１２１】
撮影者ａは、サーバ１への画像ファイルの格納が完了して、連絡用メールアドレスにアクセス情報が届いてからアクセスするのでアクセスするタイミングを誤らない。
また、撮影済みのリバーサルフィルム４２をサービスラボに預けた撮影者が大勢いる場合でも、同じ時間帯にアクセスが集中し難く、早いダウンロード速度が得られるとともに、サーバダウンを防止できる。
【０１２２】
現像済みのリバーサルフィルム４２の各フィルム画像をフィルムスキャナー３で光学的に高分解能で走査（１回）してデジタル化した画像ファイル群を作成する構成であるので、実施例１に比べ仕上時刻を短縮できる。
【実施例５】
【０１２３】
つぎに、本発明の実施例５（請求項１に対応）を図１および図７に基づいて説明する。  実施例５の銀塩写真の画像データ配信システムに用いるサーバ１は、実施例１〜４と同様に、高速のインターネット回線２に常時接続され、固定アドレスが割り振られ、サービスラボ内に設置されている。
【０１２４】
サーバ１は、実施例１〜４と同様に、マザーボード、ハードディスク、キーボード１１、ディスプレイ１２、およびマウス１３等を備え、マイクロコンピュータ（図示せず）により制御されている。
マザーボードには、ＣＰＵ、フィルムスキャナー３を接続するためのインターフェイス回路、ＲＡＭ、ＬＡＮユニット、ビデオカード等が組み込まれている。
【０１２５】
マザーボードのＳ−ＡＴＡ端子に接続したハードディスクには、実施例１〜４と同様に、ＯＳ、各種ドライバ、各種ソフトウエアーがインストールされている。また、このハードディスクには、受付データ、および第１、第２の画像ファイル群が格納される。
インターネット回線２には、撮影者ａのノートパソコン４１以外に、他の撮影者（複数人）のパソコン（例えば、撮影者ｂのパソコン５１）が接続されている。
【０１２６】
本実施例では、以下の様にして、銀塩写真の画像データを撮影者ａのノートパソコン４１に配信する。
銀塩写真の画像データ配信システムを利用する撮影者ａは、リバーサルフィルム４２を装填したフィルム式の一眼レフカメラ４３を使って撮影現場で撮影を行い（図１参照）、切手４６を貼ってサービスラボへ郵送する（図１、および図７のステップＳ１ｄ参照）。なお、連絡用に、連絡用のメールアドレスを書いた紙４４も封筒４５に入れておく（図１、および図７のステップＳ１ｄ参照）。なお、撮影者ａがサービスラボに近い場合には、撮影済みのリバーサルフィルム４２をサービスラボへ持参しても良い。
【０１２７】
撮影済みのリバーサルフィルム４２をサービスラボが受け取る（図１、および図７の  ステップｓｔ１ｄ参照）。
【０１２８】
サービスラボの担当者は、撮影済みのリバーサルフィルム４２を所定の化学処理剤で、一連の現像処理を行う（図７のステップｓｔ２ｄ）。
【０１２９】
サービスラボの担当者は、フィルムスキャナー３を用い、現像済みのリバーサルフィルム４２のフィルム画像を光学的に高分解能（６００ｄｐｉ〜１６０００ｄｐｉ）で走査し、デジタル化した画像ファイル群を作成する（図７のステップｓｔ３ｄ）。
つぎに、サービスラボの担当者は、ハードディスクを有し、インターネット回線２に接続したサーバ１のハードディスクの所定フォルダへ、全ての画像ファイルを格納する（図７のステップｓｔ４ｄ）。
【０１３０】
全ての画像ファイルの格納が終了すると、サーバ１からの画像ファイルのダウンロードが可能になる（図７のステップｓ１ｄ）。
【０１３１】
撮影者ａは、頃合いを見計らって（例えば、郵送してから２日）サーバ１にアクセスし、ノートパソコン４１のハードディスクへ、全ての画像ファイルをダウンロードする（図７のステップＳ２ｄ）。
ダウンロードが完了した後、撮影者ａは、画像の加工やプリントアウトを行う（図７のステップＳ３ｄ）。
【０１３２】
実施例５の銀塩写真の画像データ配信システムは、以下の利点を有する。
ノートパソコン４１から、頃合いを見計らってサーバ１にアクセスすれば、サービスラボへ出向くことなく、インターネット回線２への接続が可能な、自宅や撮影先等の離れた場所から全ての画像ファイルをダウンロードすることができる。
なお、ダウンロードした各画像ファイルは、デジタルデータであるので、プリンターで印刷したり、編集ソフトを使って編集することができる。
【０１３３】
現像済みのリバーサルフィルム４２の各フィルム画像をフィルムスキャナー３で光学的に高分解能で走査（１回）してデジタル化した画像ファイル群を作成する構成であるので、実施例１等に比べ仕上時刻を短縮できる。
【図面の簡単な説明】
【０１３４】
【図１】銀塩写真の画像データ配信システムの原理を示す説明図である。
【図２】実施例１に係る銀塩写真の画像データ配信システムにおいて、撮影者の作業手順、サーバの動作、およびサービスラボの担当者の作業手順を示すフローチャートである。
【図３】撮影者のノートパソコンの液晶モニタに表示される画像である。
【図４】実施例２に係る銀塩写真の画像データ配信システムにおいて、撮影者の作業手順、サーバの動作、およびサービスラボの担当者の作業手順を示すフローチャートである。
【図５】実施例３に係る銀塩写真の画像データ配信システムにおいて、撮影者の作業手順、サーバの動作、およびサービスラボの担当者の作業手順を示すフローチャートである。
【図６】実施例４に係る銀塩写真の画像データ配信システムにおいて、撮影者の作業手順、サーバの動作、およびサービスラボの担当者の作業手順を示すフローチャートである。
【図７】実施例５に係る銀塩写真の画像データ配信システムにおいて、撮影者の作業手順、サーバの動作、およびサービスラボの担当者の作業手順を示すフローチャートである。
【符号の説明】
【０１３５】
ａ  撮影者
１  サーバ
４１  ノートパソコン（端末装置）
４２  撮影済みのリバーサルフィルム
【図１】
2008067100.tif 000003
【図２】
2008067100.tif 000004
【図３】
2008067100.tif 000005
【図４】
2008067100.tif 000006
【図５】
2008067100.tif 000007
【図６】
2008067100.tif 000008
【図７】
2008067100.tif 000009